(57)【要約】【課題】  本発明は、記録された情報データのセキュリティを高めることができる磁気ディスクカートリッジを提供する。【解決手段】  本発明の磁気ディスクカートリッジＤＣは、情報データが記録される第１磁気ディスク２１を有するスタックカートリッジ２と、前記情報データを読み出すための読出キーが記録される第２磁気ディスク４１を有するＩＤカートリッジ４とを備えている。そして、前記ＩＤカートリッジ４は、前記スタックカートリッジ２に着脱自在に取り付けられている。この磁気ディスクカートリッジＤＣは、読出キーが記録される第２磁気ディスク４１を、情報データが記録される第１磁気ディスク２１から分離することによって、情報データのセキュリティを高める。【選択図】      図４
2006079653.tif 000002
【特許請求の範囲】
【請求項１】
情報データが記録される第１記録ディスクと、
前記情報データを読み出すための読出キーが記録される第２記録ディスクとを備える記録ディスクカートリッジであって、
前記第２記録ディスクが着脱自在になっていることを特徴とする記録ディスクカートリッジ。
【請求項２】
前記第１記録ディスクを有する第１記録ディスクカートリッジと、
前記第２記録ディスクを有する第２記録ディスクカートリッジとを備えた請求項１に記載の記録ディスクカートリッジであって、
前記第２記録ディスクカートリッジが前記第１記録ディスクカートリッジに着脱自在に取り付けられていることを特徴とする記録ディスクカートリッジ。
【請求項３】
請求項１又は請求項２に記載の記録ディスクカートリッジと、
制御手段とを備えるディスクシステムであって、
前記制御手段が、前記第２記録ディスクから読出キーを読み出す手順と、
読み出した前記読出キーによって前記第１記録ディスクから前記情報データを読み出す手順とを実行するようになっていることを特徴とするディスクシステム。
【発明の詳細な説明】
【技術分野】
【０００１】
本発明は、ケース内に、例えば磁気ディスク等の記録ディスクが収納された記録ディスクカートリッジに関する。
【背景技術】
【０００２】
従来、ケース内に複数の磁気ディスクを収納した記録ディスクカートリッジが知られている（例えば、特許文献１参照）。この記録ディスクカートリッジでは、磁気ディスクがケース内でスタックされており、この記録ディスクカートリッジがドライブに装填された際に、ドライブ側の磁気ヘッドが各磁気ディスクにアクセスすることによって各磁気ディスクに対して情報データの記録及び再生が行われるようになっている。
【０００３】
このような記録ディスクカートリッジは、複数の磁気ディスクを有しているので、情報データの記憶容量が大きいと共に、複数の磁気ディスクがスタックされることによってコンパクト化されるので、携帯性に優れている。
【特許文献１】特開２００４−２２０１１号公報（段落００１０〜００２０、図８）
【発明の開示】
【発明が解決しようとする課題】
【０００４】
ところで、この記録ディスクカートリッジは、その携帯性から記録ディスクカートリッジの紛失や盗難等の機会が増大する。したがって、このような記録ディスクカートリッジは、記録された情報データのセキュリティについて十分に配慮されなければならない。特に、この記録ディスクカートリッジがコンピュータのバックアップ用に使用される場合には、情報データのセキュリティがさらに重要となる。
【０００５】
そこで、本発明の課題は、記録された情報データのセキュリティを高めることができる記録ディスクカートリッジ及びこの記録ディスクカートリッジを使用したディスクシステムを提供することにある。
【課題を解決するための手段】
【０００６】
前記課題を解決するための請求項１に記載の発明は、情報データが記録される第１記録ディスクと、前記情報データを読み出すための読出キーが記録される第２記録ディスクとを備える記録ディスクカートリッジであって、前記第２記録ディスクが着脱自在になっていることを特徴とする。
【０００７】
この記録ディスクカートリッジでは、第２記録ディスクに、第１記録ディスクから情報データを読み出すための読出キーが記録されている。そして、この記録ディスクカートリッジでは、第２記録ディスクが着脱自在になっているので、第２記録ディスクは、情報データが記録される第１記録ディスクと分離して携帯することができる。つまり、この記録ディスクカートリッジでは、第２記録ディスクを第１記録ディスクと分離しておけば、第１記録ディスクから情報データを読み出すことができない。したがって、この記録ディスクカートリッジによれば、第２記録ディスクを第１記録ディスクから分離することによって、情報データのセキュリティが高められる。
【０００８】
請求項２に記載の発明は、前記第１記録ディスクを有する第１記録ディスクカートリッジと、前記第２記録ディスクを有する第２記録ディスクカートリッジとを備えた請求項１に記載の記録ディスクカートリッジであって、前記第２記録ディスクカートリッジが前記第１記録ディスクカートリッジに着脱自在に取り付けられていることを特徴とする。
【０００９】
この記録ディスクカートリッジでは、第１記録ディスクカートリッジが第１記録ディスクを有しており、第２記録ディスクカートリッジが第２記録ディスクを有している。そして、第２記録ディスクカートリッジが第１記録ディスクカートリッジに着脱自在に取り付けられているので、第１記録ディスクカートリッジから第２記録ディスクカートリッジを取り外すことによって、第２記録ディスクは第１記録ディスクから分離される。そして、この記録ディスクカートリッジによれば、第１記録ディスクから分離された第２記録ディスクはカートリッジとして携帯されるので、携帯時に第２記録ディスクが破損する恐れは低減される。
【００１０】
請求項３に記載の発明は、請求項１又は請求項２に記載の記録ディスクカートリッジと、制御手段とを備えるディスクシステムであって、前記制御手段が、前記第２記録ディスクから読出キーを読み出す手順と、読み出した前記読出キーによって前記第１記録ディスクから前記情報データを読み出す手順とを実行するようになっていることを特徴とする。
【００１１】
このディスクシステムでは、制御手段が、第２記録ディスクから読み出した読出キーによって前記第１記録ディスクから情報データを読み出す。そして、このディスクシステムは、第２記録ディスクを第１記録ディスクから分離しておけば、第１記録ディスクから情報データを読み出す手順が実行不能となる。したがって、このディスクシステムによれば、第２記録ディスクを第１記録ディスクから分離することによって、情報データのセキュリティが高められる。
【発明の効果】
【００１２】
本発明によれば、記録された情報データのセキュリティを高めることができる記録ディスクカートリッジ及びこの記録ディスクカートリッジを使用したディスクシステムが提供される。
【発明を実施するための最良の形態】
【００１３】
次に、本発明の実施形態について、適宜図面を参照しながら詳細に説明する。参照する図面において、図１は、本実施形態に係る磁気ディスクカートリッジ（記録ディスクカートリッジ）が組み込まれたディスクシステムを示す斜視図、図２は、図１のディスクシステムの構成を示す模式図、図３は、本実施形態に係る磁気ディスクカートリッジを構成するスタックカートリッジ（第１記録ディスクカートリッジ）及びＩＤカートリッジ（第２記録ディスクカートリッジ）の斜視図、図４は、本実施形態に係る磁気ディスクカートリッジの断面図であり、図１のＡ−Ａ線における断面図、図５は、スタックカートリッジの分解斜視図であり、このスタックカートリッジをその下方向から見上げた様子を示した図、図６は、スタックカートリッジを構成する第１磁気ディスク（第１記録ディスク）及びＩＤカートリッジを構成する第２磁気ディスク（第２記録ディスク）に記録される磁気情報の種類を示す模式図、図７は、ＩＤカートリッジの分解斜視図であり、ＩＤカートリッジを上方向から見下ろした様子を示した図、図８は、ディスクシステムを構成するＰＣカードの斜視図である。
【００１４】
以下に、本発明の実施形態の磁気ディスクカートリッジ（記録ディスクカートリッジ）が組み込まれたディスクシステムについて説明する。
図１に示すように、ディスクシステムＳは、ラップトップ型のパーソナルコンピュータ１（以下、単に「パソコン１」という）と、磁気ディスクカートリッジＤＣと、ＰＣカード３とで主に構成されている。なお、磁気ディスクカートリッジＤＣは、特許請求の範囲にいう「記録ディスクカートリッジ」に相当する。
【００１５】
（パソコン）
パソコン１は、周知の機器であり、図２に示すように、ＣＰＵ（Central Processing Unit）１２、メモリ１３、インターフェース１４、図示しないハードディスクドライブ（ＨＤＤ）などを備えている。なお、ＣＰＵ１２は、特許請求の範囲にいう「制御手段」に相当する。
【００１６】
ＣＰＵ１２は、周知のとおり、パソコン１の動作を所定のプログラムによって制御するものであり、本実施形態では、後記する手順によってＰＣカード３及び磁気ディスクカートリッジＤＣの動作を制御するようになっている。
【００１７】
メモリ１３は、ＣＰＵ１２がスタックカートリッジ２から読み出した後記する参照ＩＤデータ（図６参照）並びにＩＤカートリッジ４から読み出した後記する個人ＩＤデータ（図６参照）及び後記するアドレス情報データ（図６参照）を一時的に記憶するようになっている。
【００１８】
インターフェース１４は、ＣＰＵ１２とＰＣカード３との信号のやり取りを仲介するものである。
【００１９】
（磁気ディスクカートリッジ）
図３に示すように、磁気ディスクカートリッジＤＣは、スタックカートリッジ２とＩＤカートリッジ４とで構成されている。スタックカートリッジ２は、特許請求の範囲にいう「第１記録ディスクカートリッジ」に相当し、ＩＤカートリッジ４は、「第２記録ディスクカートリッジ」に相当する。
【００２０】
スタックカートリッジ２の上面の側縁には、図３に示すように、その側縁から上方に向かって突出するように一対の係止片２５がそれぞれ形成されている。これら係止片２５は、スタックカートリッジ２の上面から突出したその先端がスタックカートリッジ２の中央部に向かって折れ曲がった鉤状になっている。そして、これら係止片２５は、ＩＤカートリッジ４をスタックカートリッジ２の上面でスライドさせるようにスタックカートリッジ２に重ね合わせた際に、ＩＤカートリッジ４を両側から挟持するようになっている。つまり、これら係止片２５は、ＩＤカートリッジ４をスタックカートリッジ２に着脱自在に取り付け可能にしている。
【００２１】
スタックカートリッジ２は、図４及び図５に示すように、２枚の第１磁気ディスク２１と、これらの第１磁気ディスク２１を一体に連結する回転体２２と、第１磁気ディスク２１及び回転体２２を収容するケースとしてのシェル２３（図５参照）と、シャッタ２４とで主に構成されている。なお、第１磁気ディスク２１は、特許請求の範囲にいう「第１記録ディスク」に相当する。
【００２２】
第１磁気ディスク２１は、いわゆるフレキシブルディスクであり、その両面に磁気記録が行われるようになっている。図６に示すように、この第１磁気ディスク２１には、少なくとも参照ＩＤデータと、データファイルとが記録されている。なお、データファイルは、特許請求の範囲にいう「情報データ」で構成されている。
【００２３】
参照ＩＤデータは、第１磁気ディスク２１に記録されたデータファイルを取得することを許可された者の属性を表すデータ（属性データ）であり、例えば、ＩＤコード、氏名、所属部署、許可された者を特徴付けるその他の属性データで構成されている。この参照ＩＤデータは、データファイルを取得することを許可された者が複数人存在する場合には、その人数分の属性データからなるデータ群で構成されている。データファイルは、パソコン１（図１参照）の操作者が取得しようとする情報データを含むファイルであり、データファイルに複数の情報データが含まれる場合には、それぞれの情報データは、ＩＤカートリッジ４の第２磁気ディスク４１に記録された個人ＩＤデータと関連付けされて第１磁気ディスク２１に記録されている。
【００２４】
回転体２２は、図４に示すように、主に、センタコア２２Ａと、スペーサ２２Ｂと、ディスク係止部材２２Ｃとで構成されている。センタコア２２Ａは、磁気ディスクカートリッジＤＣが後記するようにＰＣカード３（図８参照）の収容スペース３１（図８参照）に差し込まれた際に、ＰＣカード３に内蔵される第１ドライブスピンドル３２ａ（図８参照）によって磁気的に吸着されて、この第１ドライブスピンドル３２ａと共に回転する磁性部材である。そして、図４に示すように、センタコア２２Ａの中央部には、ディスク係止部材２２Ｃを嵌合させるための嵌合孔２２ａが形成されている。
【００２５】
スペーサ２２Ｂは、図４に示すように、２枚の第１磁気ディスク２１を、所定の間隔を空けて保持するためのリング状の部材である。
【００２６】
ディスク係止部材２２Ｃは、図４に示すように、筒状に形成された筒部２２ｂと、この筒部２２ｂの上端から外方へ延出するように形成されたフランジ部２２ｄとを有している。筒部２２ｂは、第１磁気ディスク２１の中心に形成された円形の取付孔２１ｄに差し込まれるように配置されている。そして、このディスク係止部材２２Ｃは、その筒部２２ｂをセンタコア２２Ａの嵌合孔２２ａに嵌合させた際に、フランジ部２２ｄとセンタコア２２Ａとが、スペーサ２２Ｂを介して重ね合わせられた２枚の第１磁気ディスク２１を挟み込んで一体に支持する構造となっている。
【００２７】
図５に示すように、シェル２３は、有底筒状に形成される金属製の上シェル２３Ａと下シェル２３Ｂとで構成されており、図４を併せて参照すると明らかなように、これらの上シェル２３Ａと下シェル２３Ｂには、後記するＰＣカード３のアーム３５（図８参照）の先端に取り付けられた磁気ヘッド３３を第１磁気ディスク２１にアクセスさせるための開口部２３ａが形成されている。
【００２８】
上シェル２３Ａの中央部には、図４に示すように、バーリング加工によって下シェル２３Ｂ側に向かって突出するように軸筒２３ｂが形成され、この軸筒２３ｂの先端には、後記する上シャッタ２４Ａの抜け止めとなる円柱状の係止部材２３Ｃが接合されている。
【００２９】
また、図５に示すように、下シェル２３Ｂの底部２３ｄには、その中央部に前記したセンタコア２２Ａ（図４参照）を外部に露出させるための円形の露出孔２３ｅが形成されている。また、下シェル２３Ｂの底部２３ｄには、シャッタ２４の回動軌跡に沿うように、円弧状の溝部２３ｆが形成されている。なお、下シェル２３Ｂは、２枚の第１磁気ディスク２１を収容するために、上シェル２３Ａよりも深めに形成されている。
【００３０】
シャッタ２４は、図４及び図５に示すように、係止部材２３Ｃを中心に回動するロータリー式のシャッタであり、主に、上シェル２３Ａに内装される有底円筒状の上シャッタ２４Ａと、下シェル２３Ｂに内装される有底円筒状の下シャッタ２４Ｂとで構成されている。上シャッタ２４Ａ及び下シャッタ２４Ｂには、シェル２３に形成される開口部２３ａと略同様の開口部２４ａ（上シャッタ２４Ａ側のみ図示）が形成されている。
【００３１】
下シャッタ２４Ｂには、下シェル２３Ｂの溝部２３ｆに摺動自在に係合する開閉用突起２４ｂが設けられており、この開閉用突起２４ｂは、図示せぬスプリング（弾性部材）によって常時溝部２３ｆの前端部、つまりＰＣカード３（図８参照）に差し込まれる側に向けて付勢されている。そして、この開閉用突起２４ｂが溝部２３ｆの前端に位置するとき（非使用時）には、シャッタ２４に形成された開口部２４ａがシェル２３によって覆われた状態となる。また、開閉用突起２４ｂが溝部２３ｆの後端まで移動したとき（使用時）には、シャッタ２４の開口部２４ａとシェル２３の開口部２３ａとが一致して、内部の第１磁気ディスク２１が外部に露出することとなる。
【００３２】
ＩＤカートリッジ４は、図７に示すように、１枚の第２磁気ディスク４１と、回転体４２と、第２磁気ディスク４１及び回転体４２を収容するケースとしてのシェル４３と、シャッタ４４とで主に構成されている。なお、第２磁気ディスク４１は、特許請求の範囲にいう「第２記録ディスク」に相当する。
【００３３】
第２磁気ディスク４１は、第１磁気ディスク２１と同様のフレキシブルディスクであり、その両面に磁気記録が行われるようになっている。図６に示すように、この第２磁気ディスク４１には、少なくとも個人ＩＤデータと、アドレス情報データとが記録されている。この個人ＩＤデータは、特許請求の範囲にいう「読出キー」に相当する。
【００３４】
個人ＩＤデータは、このＩＤカートリッジ４の使用が許可された者の属性を表すデータ（属性データ）であり、前記した参照ＩＤデータと同様に、例えば、ＩＤコード、氏名、所属部署、許可された者を特徴付けるその他の属性データで構成されている。この個人ＩＤデータは、ＩＤカートリッジ４の使用が許可された者と、前記したような第１磁気ディスク４１に記録されたデータファイルを取得することを許可された者とが一致する場合には、参照ＩＤデータに含まれる少なくとも一人分の属性データを含むように構成されている。そして、個人ＩＤデータは、ＩＤカートリッジ４の使用が許可された者が複数人存在する場合には、その人数分の属性データで構成されていてもよい。アドレス情報データは、前記したように個人ＩＤデータと関連付けられた情報データ（データファイル）の格納先を特定するものである。
【００３５】
回転体４２は、図４に示すように、主に、センタコア４２Ａと、ディスク係止部材４２Ｃとで構成されている。センタコア４２Ａは、磁気ディスクカートリッジＤＣが後記するようにＰＣカード３（図８参照）の収容スペース３１（図８参照）に差し込まれた際に、ＰＣカード３に内蔵される第２ドライブスピンドル３２ｂ（図８参照）によって磁気的に吸着されて、この第２ドライブスピンドル３２ｂと共に回転する磁性部材である。そして、センタコア４２Ａの中央部には、ディスク係止部材４２Ｃを嵌合させるための嵌合孔４２ａが形成されている。
【００３６】
ディスク係止部材４２Ｃは、図４に示すように、筒状に形成された筒部４２ｂと、この筒部４２ｂの下端から外方へ延出するように形成されたフランジ部４２ｄとを有している。筒部４２ｂは、第２磁気ディスク４１の中心に形成された円形の取付孔４１ｄに差し込まれるように配置されている。そして、このディスク係止部材４２Ｃは、その筒部４２ｂをセンタコア４２Ａの嵌合孔４２ａに嵌合させた際に、フランジ部４２ｄとセンタコア４２Ａとが、第１磁気ディスク４１を挟んで支持する構造となっている。
【００３７】
図７に示すように、シェル４３は、有底筒状に形成される金属製の上シェル４３Ａと下シェル４３Ｂとで構成されており、図４を併せて参照すると明らかなように、これらの上シェル４３Ａと下シェル４３Ｂには、後記するＰＣカード３のアーム３５（図８参照）の先端に取り付けられた磁気ヘッド３３を第２磁気ディスク４１にアクセスさせるための開口部４３ａが形成されている。
【００３８】
また、図７に示すように、上シェル４３Ａの上部４３ｄには、その中央部に前記したセンタコア４２Ａを外部に露出させるための円形の露出孔４３ｅが形成されている。また、上シェル４３Ａの上部４３ｄには、シャッタ４４の回動軌跡に沿うように、円弧状の溝部４３ｆが形成されている。
【００３９】
下シェル４３Ｂの中央部には、図４に示すように、バーリング加工によって上シェル４３Ａ側に向かって突出するように軸筒４３ｂが形成され、この軸筒４３ｂの先端には、下シャッタ４４Ｂの抜け止めとなる円柱状の係止部材４３Ｃが接合されている。
【００４０】
シャッタ４４は、図４及び図７に示すように、前記した係止部材４３Ｃを中心に回動するロータリー式のシャッタであり、主に、上シェル４３Ａに内装される有底円筒状の上シャッタ４４Ａと、下シェル４３Ｂに内装される有底円筒状の下シャッタ４４Ｂとで構成されている。上シャッタ４４Ａ及び下シャッタ４４Ｂには、シェル４３に形成される開口部４３ａと略同様の開口部４４ａ（下シャッタ４４Ｂ側のみ図示）が形成されている。
【００４１】
上シャッタ４４Ａには、上シェル４３Ａの溝部４３ｆに摺動自在に係合する開閉用突起４４ｂが設けられており、この開閉用突起４４ｂは、図示せぬスプリング（弾性部材）によって常時溝部４３ｆの前端部、つまりＰＣカード３（図８参照）に差し込まれる側に向けて付勢されている。そして、この開閉用突起４４ｂが溝部４３ｆの前端に位置するとき（非使用時）には、シャッタ４４に形成された開口部４４ａがシェル４３によって覆われた状態となる。また、開閉用突起４４ｂが溝部４３ｆの後端まで移動したとき（使用時）には、シャッタ４４の開口部４４ａとシェル４３の開口部４３ａとが一致して、内部の第２磁気ディスク４１が外部に露出することとなる。
【００４２】
（ＰＣカード）
ＰＣカード３は、図８に示すように、磁気ディスクカートリッジＤＣが収容される収容スペース３１をその内側に有する薄型の箱状体である。このＰＣカード３は、磁気ディスクカートリッジＤＣを収容スペース３１内に差し込むための開口３８が形成されていると共に、その収容スペース３１内にドライブスピンドル３２、ヘッドスタックアセンブリ３４及びロータリーアクチュエータ３７を備えている。
【００４３】
ドライブスピンドル３２は、第１ドライブスピンドル３２ａと第２ドライブスピンドル３２ｂとで構成されている。第１ドライブスピンドル３２ａは、収容スペース３１の底面に設けられており、この収容スペース３１に磁気ディスクカートリッジＤＣが差し込まれた際に、磁気ディスクカートリッジＤＣを構成するスタックカートリッジ２の第１磁気ディスク２１（図４参照）を回転させるものである。この第１ドライブスピンドル３２ａは、前記したように、スタックカートリッジ２の回転体２２（図４参照）を回転させることによって、第１磁気ディスク２１（図４参照）を回転させるようになっており、回転体２２のセンタコア２２Ａ（図４参照）を磁気的に吸着するための図示しないマグネットや、このマグネットを回転させる図示しないスピンドルモータを備えている。図８に示すように、第２ドライブスピンドル３２ｂは、収容スペース３１の天井面に設けられており、この収容スペース３１に磁気ディスクカートリッジＤＣが差し込まれた際に、磁気ディスクカートリッジＤＣを構成するＩＤカートリッジ４の第２磁気ディスク４１（図４参照）を回転させるものである。この第２ドライブスピンドル３２ｂは、前記したように、ＩＤカートリッジ４の回転体４２（図４参照）を回転させることによって、第２磁気ディスク４１（図４参照）を回転させるようになっており、回転体４２のセンタコア４２Ａ（図４参照）を磁気的に吸着するための図示しないマグネットや、このマグネットを回転させる図示しないスピンドルモータを備えている。なお、これら第１ドライブスピンドル３２ａ及び第２ドライブスピンドル３２ｂは、ＣＰＵ１２（図２参照）の指令信号によって起動し、回転するようになっている。
【００４４】
ヘッドスタックアセンブリ３４は、図８に示すように、支軸３６周りに回動する６本のアーム３５と、支軸３６から延びる各アーム３５の先端に取り付けられた前記磁気ヘッド３３（図４参照）とを備えている。このヘッドスタックアセンブリ３４のアーム３５は、磁気ディスクカートリッジＤＣがＰＣカード３の収容スペース３１に差し込まれた際に、図４に示すように、第１磁気ディスク２１及び第２磁気ディスク４１のそれぞれに磁気ヘッド３３をアクセスさせるものである。なお、本実施形態では、磁気ヘッド３３が第１磁気ディスク２１及び第２磁気ディスク４１の表裏にそれぞれ配置されるようになっている。
【００４５】
ロータリーアクチュエータ３７は、ＣＰＵ１２（図２参照）の指令信号に応じてアーム３５が所定の回転角度になるようにアーム３５を回動させることによって、磁気ヘッド３３（図４参照）を第１磁気ディスク２１（図４参照）及び第２磁気ディスク４１（図４参照）の所定の位置に位置決めするものである。このロータリーアクチュエータ３７としては、周知の構造のものでよく、例えば、ＶＣＭ（ボイスコイルモータ）を使用したものが挙げられる。
【００４６】
このようなＰＣカード３は、パソコン１（図１参照）の側部に形成されたスロット１１（図１参照）からパソコン１内に差し込まれることによって、ドライブスピンドル３２、ロータリーアクチュエータ３７及び磁気ヘッド３３（図４参照）が、インターフェース１４（図２参照）を介してパソコン１のＣＰＵ１２（図２参照）と電気的に接続されるようになっている。
【００４７】
次に、ディスクシステムの動作について、適宜図面を参照しながら説明する。参照する図面において、図９は、ディスクシステムの動作を示すフローチャートである。
【００４８】
このディスクシステムＳでは、図１に示すように、まず、パソコン１のスロット１１にＰＣカード３が挿入される。その一方で、図３に示すように、ＩＤカートリッジ４がスタックカートリッジ２の上面でスライドするようにしてスタックカートリッジ２に重ね合わせられる。このときＩＤカートリッジ４は、スタックカートリッジ２の上面で一対の係止片２５によって両側から挟持される。つまり、ＩＤカートリッジ４とスタックカートリッジ２とが一体となって、磁気ディスクカートリッジＤＣ（図１参照）が形成される。
【００４９】
次に、図８に示すように、磁気ディスクカートリッジＤＣは、ＰＣカード３に差し込まれる。このとき開閉用突起２４ｂ及び開閉用突起４４ｂは、ＰＣカード３の開口３８の上下端にそれぞれ当接する。そして、磁気ディスクカートリッジＤＣが、ＰＣカード３内に差し込まれていくにしたがって、開閉用突起２４ｂ及び開閉用突起４４ｂは、前記したスプリング（図示せず）の付勢力に抗して溝部２３ｆ及び溝部４３ｆをその後端側に向かって移動する。その結果、図４に示すように、シャッタ２４及びシャッタ４４が開かれて、第１磁気ディスク２１及び第２磁気ディスク４１は開口部２３ａ及び開口部４３ａを介してＰＣカード３（図８参照）内に露出する。そして、磁気ディスクカートリッジＤＣは、ＰＣカード３の第１ドライブスピンドル３２ａ（図８参照）にそのセンタコア２２Ａ（図４参照）が向き合うと共に、ＰＣカード３の第２ドライブスピンドル３２ｂ（図８参照）にそのセンタコア４２Ａ（図４参照）が向き合う位置までＰＣカード３内に差し込まれる。
【００５０】
次に、パソコン１のＣＰＵ１２（図２参照）からの指令信号によって第１ドライブスピンドル３２ａ（図８参照）及び第２ドライブスピンドル３２ｂ（図８参照）が回転すると、第１ドライブスピンドル３２ａ及び第２ドライブスピンドル３２ｂに磁気的に吸着されたセンタコア２２Ａ（図４参照）及びセンタコア４２Ａ（図４参照）が回転する。その結果、第１磁気ディスク２１（図４参照）及び第２磁気ディスク４１（図４参照）は回転する。
【００５１】
一方、パソコン１のＣＰＵ１２（図２参照）からの指令信号によって、ロータリーアクチュエータ３７（図８参照）は、図４に示すように、各磁気ヘッド３３が第１磁気ディスク２１及び第２磁気ディスク４１の所定位置に移動するように、各アーム３５を所定量だけ回動させる。
【００５２】
次いで、磁気ディスクカートリッジＤＣでは、図６に示すように、ＩＤカートリッジ４から個人ＩＤデータ及びアドレス情報データが、そしてスタックカートリッジ２から参照ＩＤデータ及び情報データ（データファイル）が、次のような手順で読み出されていく。
【００５３】
ここでは、まずＣＰＵ１２が、第２磁気ディスク４１から個人ＩＤデータを読み出すように磁気ヘッド３３を第２磁気ディスク４１の所定の位置に位置決めする。そして、磁気ヘッド３３は、図９に示すように、第２磁気ディスク４１から個人ＩＤデータを読み出す（ステップＳ１）。読み出された個人ＩＤデータはメモリ１３に記憶される。次いで、ＣＰＵ１２は、第１磁気ディスク２１から参照ＩＤデータを読み出すように磁気ヘッド３３を第１磁気ディスク２１の所定の位置に位置決めする。そして、磁気ヘッド３３は、第１磁気ディスク２１から参照ＩＤデータを読み出す（ステップＳ２）。読み出された参照ＩＤデータはメモリ１３に記憶される。
【００５４】
次に、ＣＰＵ１２は、メモリ１３の個人ＩＤデータ及び参照ＩＤデータを参照することによって、個人ＩＤデータが参照ＩＤデータに含まれているか否かを判断する（ステップＳ３）。そして、含まれていないと判断した場合（ステップＳ３のＮＯ）には、ＣＰＵ１２が第１磁気ディスク２１からデータファイルを読み出すことなく、このディスクシステムＳの動作は終了する。
【００５５】
その一方で、このディスクシステムＳでは、ＣＰＵ１２が、個人ＩＤデータが参照ＩＤデータに含まれていると判断した場合（ステップＳ３のＹＥＳ）には、ＣＰＵ１２は、第２磁気ディスク４１からアドレス情報データを読み出すように磁気ヘッド３３を第２磁気ディスク４１の所定の位置に位置決めする。そして、磁気ヘッド３３は、第２磁気ディスク４１からアドレス情報データを読み出す（ステップＳ４）。読み出されたアドレス情報データはメモリ１３に記憶される。
【００５６】
次に、ＣＰＵ１２は、メモリ１３の個人ＩＤデータ及びアドレス情報データを参照することによって、個人ＩＤデータに対応した情報データの格納先を特定する。そして、ＣＰＵ１２が、第１磁気ディスク２１から個人ＩＤデータに対応した情報データを読み出して（ステップＳ５）、このディスクシステムＳの動作は終了する。なお、読み出された情報データは、パソコン１のモニタ等の表示部に表示され、あるいは所定の記録媒体に保存されることによってパソコン１の操作者に取得される。
【００５７】
このようなディスクシステムＳでは、ＣＰＵ１２が第２磁気ディスク４１から読み出した個人ＩＤデータによって第１磁気ディスク２１から情報データを読み出すようになっているため、第２磁気ディスク４１（ＩＤカートリッジ４）を第１磁気ディスク２１（スタックカートリッジ２）から分離しておけば、第１磁気ディスク２１から情報データが読み出されることはない。したがって、このディスクシステムＳによれば、第２磁気ディスク４１（ＩＤカートリッジ４）を第１磁気ディスク２１（スタックカートリッジ２）から分離することによって、情報データのセキュリティは高められる。
【００５８】
また、磁気ディスクカートリッジＤＣは、スタックカートリッジ２が第１磁気ディスク２１を有しており、ＩＤカートリッジ４が第２磁気ディスク４１を有している。そして、ＩＤカートリッジ４がスタックカートリッジ２に着脱自在に取り付けられているので、スタックカートリッジ２からＩＤカートリッジ４を取り外すことによって、第２磁気ディスク４１は第１磁気ディスク２１から分離可能となっている。そして、この磁気ディスクカートリッジＤＣによれば、第１磁気ディスク２１から分離された第２磁気ディスク４１はカートリッジとして携帯されるので、携帯時に第２磁気ディスク４１が破損する恐れは低減される。
【００５９】
以上、本発明の実施形態について説明したが、本発明は前記実施形態には限定されない。例えば、前記実施形態に係るディスクシステムＳに使用されるＰＣカード３の磁気ヘッド３３は、第１磁気ディスク２１及び第２磁気ディスク４１に記録された個人ＩＤデータ、アドレス情報データ、参照ＩＤデータ、情報データ（データファイル）等の磁気情報を読み出す機能に加えて、第１磁気ディスク２１及び第２磁気ディスク４１に磁気情報を書き込む機能を有するものであってもよい。具体的には、磁気ヘッド３３は、例えばＭＲ素子等の書込素子と電磁誘導型の書込ヘッドとを備えた複合型磁気ヘッドであってもよい。このようなディスクシステムＳでは、ＰＣカード３によって第１磁気ディスク２１及び第２磁気ディスク４１に対する個人ＩＤデータ、アドレス情報データ、参照ＩＤデータ及び情報データの書き込み又は変更が可能となる。
【００６０】
また、前記実施形態では、スタックカートリッジ２が２枚の第１磁気ディスク２１を有し、ＩＤカートリッジ４が１枚の第２磁気ディスク４１を有しているが、本発明はこれら第１磁気ディスク２１及び第２磁気ディスク４１の枚数には制限がなく、第１磁気ディスク２１が１枚又は３枚以上であり、第２磁気ディスク４１が２枚以上のものであってもよい。
【００６１】
また、前記実施形態では、情報データ（データファイル）が第１磁気ディスク２１のみに記録されているが、本発明はこれに限定されるものではなく、例えば、情報データが分割されて、第１磁気ディスク２１及び第２磁気ディスク４１のそれぞれに記録されるものであってもよい。このような磁気ディスクカートリッジＤＣでは、第１磁気ディスク２１及び第２磁気ディスク４１のそれぞれに振り分けられる情報データの格納先が、第２磁気ディスク４１に記録されるアドレス情報データで特定されることとなる。そして、このような磁気ディスクカートリッジＤＣによれば、情報データが第１磁気ディスク２１及び第２磁気ディスク４１のそれぞれに振り分けられるので、情報データのセキュリティがさらに高められる。
【００６２】
また、前記実施形態では、アドレス情報データがＩＤカートリッジ４の第２磁気ディスク４１に記録されたものを例示したが、本発明はこれに限定されるものではなく、アドレス情報データが、パソコン１側のハードディスクドライブ（ＨＤＤ）等の記録媒体や不揮発性メモリ等の記憶媒体に記録されたものであってもよい。
【００６３】
また、前記実施形態では、読出キーが個人ＩＤデータであるものを例示したが、本発明はこれに限定されるものではなく、読出キーが復号キーであってもよい。このような磁気ディスクカートリッジＤＣの第１磁気ディスク２１には、暗号化された情報データ（データファイル）が記録されることとなる。
【００６４】
また、読出キーは、第２磁気ディスク４１に記録されたアドレス情報データであってもよい。このような磁気ディスクカートリッジＤＣでは、第２磁気ディスク４１から読み出されたアドレス情報データによって、第１磁気ディスク２１に記録された情報データ（データファイル）の格納先が特定され、そして、このアドレス情報データに基づいて、第１磁気ディスク２１に記録された情報データが読み出される。したがって、この磁気ディスクカートリッジＤＣによれば、第２磁気ディスク４１を第１記録ディスク２１から分離することによって、情報データのセキュリティが高められる。
【００６５】
また、前記実施形態では、第１記録ディスク及び第２記録ディスクとして、フレキシブルディスク（第１磁気ディスク２１及び第２磁気ディスク４１）が使用されているが、本発明は、第１記録ディスク及び第２記録ディスクがハードディスク（ＨＤ）や光磁気ディスク、光ディスク等であってもよい。
【００６６】
また、前記実施形態は、第１記録ディスク（第１磁気ディスク２１）を有する第１記録ディスクカートリッジ（スタックカートリッジ２）に、第２記録ディスク（第２磁気ディスク４１）を着脱自在に取り付けることによって、記録ディスクカートリッジ（磁気ディスクカートリッジＤＣ）に第２記録ディスク（第２磁気ディスク４１）を着脱自在にしているが、本発明はこれに限定されるものではない。つまり、本発明に係る記録ディスクカートリッジは、第１記録ディスク自体に第２記録ディスク自体を着脱自在に取り付けるものであってもよい。このような記録ディスクカートリッジとしては、例えば、第１記録ディスクの中心部と第２記録ディスクの中心部とに、第１記録ディスクと第２記録ディスクとを相互に係止する係止部がそれぞれ設けられていると共に、これら第１記録ディスク及び第２記録ディスクをその中心軸周りに回転可能に収納するシェル等のケースであって、第１記録ディスク及び第２記録ディスクが出し入れ可能なケースを備えたものが挙げられる。
【図面の簡単な説明】
【００６７】
【図１】磁気ディスクカートリッジ（記録ディスクカートリッジ）が組み込まれたディスクシステムを示す斜視図である。
【図２】図１のディスクシステムの構成を示す模式図である。
【図３】磁気ディスクカートリッジを構成するスタックカートリッジ（第１記録ディスクカートリッジ）及びＩＤカートリッジ（第２記録ディスクカートリッジ）の斜視図である。
【図４】磁気ディスクカートリッジの断面図であり、図１のＡ−Ａ線における断面図である。
【図５】スタックカートリッジの分解斜視図であり、このスタックカートリッジをその下方向から見上げた様子を示した図である。
【図６】スタックカートリッジを構成する第１磁気ディスク（第１記録ディスク）及びＩＤカートリッジを構成する第２磁気ディスク（第２記録ディスク）に記録される磁気情報の種類を示す模式図である。
【図７】ＩＤカートリッジの分解斜視図であり、ＩＤカートリッジを上方向から見下ろした様子を示した図である。
【図８】ディスクシステムを構成するＰＣカードの斜視図である。
【図９】ディスクシステムの動作を示すフローチャートである。
【符号の説明】
【００６８】
２      スタックカートリッジ（第１記録ディスクカートリッジ）
４      ＩＤカートリッジ（第２記録ディスクカートリッジ）
１２    ＣＰＵ（制御手段）
ＤＣ    磁気ディスクカートリッジ（記録ディスクカートリッジ）
Ｓ      ディスクシステム
【図１】
2006079653.tif 000003
【図２】
2006079653.tif 000004
【図３】
2006079653.tif 000005
【図４】
2006079653.tif 000006
【図５】
2006079653.tif 000007
【図６】
2006079653.tif 000008
【図７】
2006079653.tif 000009
【図８】
2006079653.tif 000010
【図９】
2006079653.tif 000011